(57)【要約】  【課題】  親機、あるいは子機の周囲の騒音により自動交互切換方式からプレストーク通話方式への切換が可能なハンズフリーインターホン装置を提供する。  【解決手段】  親機１１と子機２４の間の通話をハンズフリーで行うハンズフリーインターホンにおいて、親機１１と子機２４間の通話を自動通話モードの開始と停止を選択設定する親機１１に設けられた通話ボタン２１と、親機１１又は子機２４のいずれかの周囲騒音に応じて、プレストーク通話を選択設定する親機に設けられたプレストークボタン２２を備え、通話ボタン２１による自動通話と、プレストークボタン２２によるプレストーク通話のいずれかが選択されると、その選択された通話モードに親機１１を制御すると共に、プレストーク通話が選択されている際に、通話ボタン２１を操作されると自動通話の待機モードに復帰させる制御手段であるＣＰＵ２０を有するハンズフリーインターホン装置。  【選択図】  図１
2006050260.tif 000002
【特許請求の範囲】
【請求項１】
親機と子機とからなり、その親機と子機の間の通話をハンズフリーで行うハンズフリーインターホンと；
前記親機と子機間の通話を自動交互切換方式による自動通話モードの開始と停止を選択設定する前記親機に設けられた通話ボタン手段と；
前記親機に設けられ、前記親機と子機間の通話をプレストーク通話方式によるプレストーク通話モードを手動にて選択設定するプレストークボタン手段と；
を具備したことを特徴とするハンズフリーインターホン装置。
【請求項２】
親機と子機とからなり、その親機と子機の間の通話をハンズフリーで行うハンズフリーインターホンと；
前記親機と子機間の通話を自動交互切換方式による自動通話モードの開始と停止を選択設定する前記親機に設けられた通話ボタン手段と；
前記親機に設けられ、前記親機と子機間の通話をプレストーク通話方式によるプレストーク通話モードを手動にて選択設定するプレストークボタン手段と；
前記通話ボタン手段による自動通話モードと、前記プレストークボタン手段によるプレストーク通話モードのいずれかが選択されると、その選択された通話モードに前記親機を制御すると共に、前記プレストーク通話モードが選択されている際に、前記通話ボタン手段を操作されると自動通話モードに切り替えると共に待機モードに復帰させる制御手段と；
を具備したことを特徴とするハンズフリーインターホン装置。
【請求項３】
前記通話ボタン手段は、非接触型物体感応センサと、その非接触型物体感応センサの感応を判別する判別手段とからなることを特徴とする請求項１または２のいずれかに記載のハンズフリーインターホン装置。
【請求項４】
前記判別手段は、前記非接触型物体感応センサに対して、赤外線リモコン信号が入射された際に、その赤外線リモコン信号による前記非接触型物体感応センサの感応を判別する機能を有していることを特徴とする請求項３に記載のハンズフリーインターホン装置。
【発明の詳細な説明】
【技術分野】
【０００１】
本発明は、親機と子機とからなり、その親機と子機の間の通話方式を自動交互切換方式とプレストーク通話方式に切換可能なハンズフリーインターホンに関する。
【背景技術】
【０００２】
従来、屋内に設けられた親機と、玄関等の屋外に設けられた子機との間でハンズフリーで通話を行うハンズフリーインターホン装置は、子機からの呼び出しに応答して、親機に設けられた通話ボタンを操作して子機と親機の間の通話状態を成立させ、親機側において予め設定された閾値により送話音レベルと受話音レベルを比較して、送話あるいは受話の一方のレベルを上げ、他方のレベルを下げる送受話の自動交互切換方式が用いられている。
【０００３】
この自動交互切換方式を用いたハンズフリーインターホン装置は、通話時に子機の周囲の騒音等が大きく、常に子機からの受話音レベルが、親機からの送話音レベルよりも高くなる場合は、親機では子機からの受話音のみの受信状態となり、親機から子機への送話が切り換えにくくなる課題がある。
【０００４】
そこで、子機の周囲騒音などが大きい子機の周囲状況に応じて、親機との通話が切り換えにくい場合には、親機に設けられた通話ボタンにより通話方式を自動交互切換方式からプレストーク通話方式に変更して、親機から子機への送話を可能としたハンズフリーインターホン装置が、例えば、特許文献１に提案されている。
【０００５】
この特許文献１に提案されているハンズフリーインターホン装置は、親機と子機との自動交互切換方式による通話中に、子機の周囲の騒音が大きく、親機側において常に受話音レベルが送話音レベルよりも高くなる場合、親機の通話ボタンを操作して、強制的にプレストーク通話方式による親機から子機への送話状態とすると共に、親機の送話アンプの増幅度を制御して子機への送話音レベルを高くして、子機から出力される送話音を周囲騒音下において聴き取り易い送話音量としている。
【０００６】
このハンズフリーインターホン装置は、自動交互切換方式により自動通話モード開始を通話ボタンの第１押下モードへと操作することで実行され、この自動交互通話モードにおいて、子機の周囲の騒音が大きく、子機からの受信音信号レベルが大きくなり、親機から子機への通話ができなくなると、送話ボタンを第２押下モードへと操作する。その第２押下モードの間はプレストーク通話方式による親機から子機への通話を可能としている。この送話ボタンを第２押下モードから解除すると第１押下モードである自動通話モードに復帰するようになっている。
【０００７】
一方、ハンズフリーインターホン装置において、来訪者が子機の呼び出しボタンを操作して呼び出し音が親機から出力された際に、在宅者は、ハンズフリーであるにも拘わらず親機が設置されている場所まで足を運ぶ必要がある。そこで、親機から離れた場所から子機への応答と通話を可能とするために、親機に赤外線リモコン信号を受信する赤外線受信部を設け、この赤外線受信部が赤外線リモコン信号を受信すると、親機の通話機能を起動させて子機との通話を介させ、子機との通話が終了すると再度赤外線受信部が赤外線リモコン信号を受信すると親機の通話機能を停止させるインターホン装置が、例えば、特許文献２に提案されている。
【０００８】
更に、在宅者が親機まで足を運ぶことなく子機との通話を可能とし、かつ、赤外線リモコンに手をかざすだけで、通話を可能とするインターホン装置が、例えば、特許文献３に提案されている。このインターホン装置は、在宅者が手短な壁などに設けてある赤外線リモコンに手をかざすと、その赤外線リモコンに内蔵されている人体感知センサがこれを感知し、赤外線リモコンから赤外線リモコン信号を送信する。この赤外線リモコン信号を親機に設けた赤外線受信部で受信して電気錠の解除命令を出力することで、親機の通話機能を起動させている。
【特許文献１】特開２００３−１８９００１号公報
【特許文献２】特開平６−１３３０６４号公報
【特許文献３】特開平６−２３２９８３号公報
【発明の開示】
【発明が解決しようとする課題】
【０００９】
上述した特許文献１に提案されているハンズフリーインターホン装置は、自動交互切換方式からプレストーク通話方式への切換は、子機の周囲の騒音が大きい場合に、通話ボタンを予め設定された操作手順により操作することで親機から子機へのプレストーク通話を可能としている。
【００１０】
このように通話ボタンにより自動通話モードとプレストーク通話モードの切換を行う場合は、現在の通話ボタンの操作状態を常時使用者に告知させるための表示が必要となる。
【００１１】
また、このハンズフリーインターホン装置は、屋内に設けた親機の周囲の騒音に対しては、何ら配慮されていない。例えば、テレビ視聴や音楽鑑賞の際に来訪者があり子機から呼び出し操作されると、テレビや音楽の音を小さくすることなく、親機から応答してしまうことがある。
【００１２】
このような状況における自動交互切換方式の場合は、親機から子機への送話状態となり、子機から親機へ受話音の送信ができなる。この親機の周囲の騒音に対応してプレストーク通話方式に切り換えて親機と子機と間で相互にプレストーク通話を行わせることは、上述した特許文献１には示唆されていない。
【００１３】
また、上述した特許文献２及び３に提案されている赤外線リモコンを用いて親機から離れた位置からの親機の通話機能の起動方法は、親機から離れた位置に在宅者がいる場合には便利である。しかし、この赤外線リモコンにより通話起動が可能なインターホン装置は、赤外線リモコン信号の送信機器と、親機に設けた赤外線リモコン信号を受信する赤外線受信部とを設ける必要があり、親機の構成が複雑で部品点数が多くなりコストアップの要因となる。更に、在宅者が濡れた手でも通話操作が可能であると共に、親機の設置されている位置まで手が届かない幼児でも操作が可能なインターホン装置が望まれている。
【００１４】
本発明は、このような事情に鑑みて、自動交互切換方式からプレストーク通話方式に切換可能のハンズフリーインターホン装置において、親機、あるいは子機の周囲の騒音により自動交互切換方式からプレストーク通話方式への切換が、通話開始時、あるいは、通話途中においても可能であると共に、インターホン装置に直接手を触れることなく、かつ、子供でも操作可能なハンズフリーインターホン装置を提供することを目的としている。
【課題を解決するための手段】
【００１５】
請求項１の発明のハンズフリーインターホン装置は、親機と子機とからなり、その親機と子機の間の通話をハンズフリーで行うハンズフリーインターホンと；前記親機と子機間の通話を自動交互切換方式による自動通話モードの開始と停止を選択設定する前記親機に設けられた通話ボタン手段と；前記親機に設けられ、前記親機と子機間の通話をプレストーク通話方式によるプレストーク通話モードを手動にて選択設定するプレストークボタン手段と；を具備したことを特徴とする。
【００１６】
請求項２の発明のハンズフリーインターホン装置は、親機と子機とからなり、その親機と子機の間の通話をハンズフリーで行うハンズフリーインターホンと；前記親機と子機間の通話を自動交互切換方式による自動通話モードの開始と停止を選択設定する前記親機に設けられた通話ボタン手段と；前記親機に設けられ、前記親機と子機間の通話をプレストーク通話方式によるプレストーク通話モードを手動にて選択設定するプレストークボタン手段と；前記通話ボタン手段による自動通話モードと、前記プレストークボタン手段によるプレストーク通話モードのいずれかが選択されると、その選択された通話モードに前記親機を制御すると共に、前記プレストーク通話モードが選択されている際に、前記通話ボタン手段を操作されると自動通話モードに切り替えると共に待機モードに復帰させる制御手段と；を具備したことを特徴とする。
【００１７】
本発明において用語の定義及び技術的意味は次による。
【００１８】
ハンズフリーインターホンは、屋内に設けられる親機と屋外に設けられる子機とが通話回線により接続されて、相互にハンズフリーで通話が可能なものである。
【００１９】
子機には、少なくとも、呼び出しボタン、マイク、スピーカ、親機からの送信音声信号を増幅してスピーカに出力する子機アンプ、及び呼び出しボタンにより呼び出し信号とマイクからの音声信号を通話回線に送信すると共に、親機から通話回線を介して送信された受信音声信号を受信する送受信回路からなっている。なお、この子機には、テレビカメラを内蔵させ、そのテレビカメラで撮像した来訪者の撮像信号を変調して通話回線に送信するものもある。
【００２０】
親機には、少なくとも子機から通話回線を介して送信された呼び出し信号や送信音声信号等を受信すると共に、親機から子機へ通話回線を介して送信音声信号を送信する送受信回路、子機から送信され親機が受信した受信音信号レベルと親機から子機へ送信する送信音声信号レベルを比較して自動通話の処理を行うボイススイッチ回路、子機から送信され親機が受信した受信音声信号を増幅してスピーカに出力する親機受信アンプ、親機マイクにより生成された子機への送信音声信号を増幅して前記送受信回路に出力する親機送信アンプと、自動通話モードの通話の開始と停止を設定する通話ボタン、プレストーク通話モード選択と通話の交信を設定するプレストークボタン、及び通話ボタンとプレストークボタンの操作に応じてボイススイッチ回路の制御及びプレストークの受信音声信号と送信音信号の切換スイッチの制御等を行う制御回路を有している。
【００２１】
なお、この親機には、子機にテレビカメラが内蔵されている場合には、その子機のテレビカメラで撮像され、子機で変調送信された撮像信号を復調してモニターに表示させる映像表示部を備えているものもある。
【００２２】
親機に設けられる通話ボタン手段は、前記通話ボタンであり、子機からの呼び出し信号により在宅者が操作して、親機と子機の間の通話を自動交互切換方式による自動通話の開始と停止を選択するものである。
【００２３】
親機に設けられるプレストークボタン手段は、前記プレストークボタンであり、子機からの呼び出し信号により在宅者が操作して、親機、あるいは子機の周囲の騒音が大きい等の周囲状況に応じて、親機と子機の間の通話をプレストーク通話モードに設定し、このプレストークボタンのオンの間は親機から子機への送信、プレストークボタンのオフの間は子機から親機への受信を行うものである。
【００２４】
制御手段は、マイクロコンピュータ（ＣＰＵ）からなり、通話ボタンとプレストークボタンの操作状態に応じて、ボイススイッチ回路の駆動の制御、及びプレストーク通話モード時の親機から子機へ、子機から親機への送信切換を行う。
【００２５】
この請求項１及び２の発明のフリーハンズインターホン装置は、親機、あるいは子機のいずれかの周囲の騒音が大きい等の周囲状況に応じて、プレストーク通話方式の通話が可能であり、かつ、通話途中からのプレストーク通話も可能となる。
【００２６】
請求項３の発明のハンズフリーインターホン装置は、請求項１または３の発明のハンズフリーインターホン装置において、前記通話ボタン手段は、非接触型物体感応センサと、その非接触型物体感応センサの感応を判別する判別手段とからなることを特徴とする。
【００２７】
非接触型物体感応センサは、赤外線反射方式、焦電型赤外線センサ方式、及び静電容量センサ方式などであり、手などの物体がかざされると、その物体の接近に感応するセンサである。
【００２８】
判別手段は、非接触型物体感応センサが接近物体に感応したことを判別するための判別回路である。
【００２９】
つまり、通話ボタン手段に変えて、非接触型物体感応センサと判別手段を設け、非接触型物体感応センサに手をかざすことにより非接触型物体感応センサが感応し、その感応を判別手段により判別することで、親機の通話開始と停止を行える。このために、手が濡れていたり、汚れている場合でも、子機からの呼び出しに応じて親機の通話開始と停止の操作が可能となる。
【００３０】
請求項４の発明のハンズフリーインターホン装置は、請求項３の発明のハンズフリーインターホン装置において、前記判別手段は、前記非接触型物体感応センサに対して、赤外線リモコン信号が入射された際に、その赤外線リモコン信号による前記非接触型物体感応センサの感応を判別する機能を有していることを特徴とする。
【００３１】
判別手段は、非接触型物体感応センサに対して、赤外線リモコン信号が入射され、その赤外線リモコン信号により非接触型物体感応センサが感応したことを判別する機能を有することにより、子供等の手の届かない位置に設置されている親機の起動を赤外線リモコンで行えるようになる。
【発明の効果】
【００３２】
本発明のハンズフリーインターホン装置は、親機に通話ボタンと、プレストークボタンとを設けたことにより、親機と子機のいずれかの周囲の騒音状況に応じて、プレストーク通話方式による通話が可能となり、プレストーク通話方式の選択設定は、子機との通話開始前と通話途中のいずれにおいても実行でき、かつ、プレストーク通話方式による通話の終了時には、自動交互通話の通話ボタンを操作することで自動通話の待機状態へと復帰可能となるために、親機の操作が簡素で、現在の操作状態も容易に把握できる。
【００３３】
また、通話ボタンに非接触型物体感応センサを用いたことにより、機械的摩耗部材をなくすことができるために超寿命化と、手が濡れていたり、汚れている場合でも、手を操作ボタンにかざすのみで送話の開始と停止が実行できる。
【００３４】
更に、操作ボタンに設けた非接触型物体感応センサに対して赤外線リモコン信号を入力することで通話開始停止を可能としたことで、手の届かない子供や位置からの操作が可能となった。
【発明を実施するための最良の形態】
【００３５】
以下、図面を参照して本発明の実施の形態について詳細に説明する。
【実施例１】
【００３６】
本発明のハンズフリーインターホン装置の第１の実施形態について、図１と図２を用いて説明する。
【００３７】
本発明のハンズフリーインターホン装置の概略構成について、図１を用いて説明する。屋内に設置される親機１１は、親機マイク１２、親機スピーカ１３、後述する子機２４からの受信音声信号を増幅して親機スピーカ１３へ出力する親機受信アンプ１４、親機マイク１２からの送信音声信号を後述するボイススイッチ回路１６へ出力選択する第１のスイッチ１５、第１のスイッチ１５を介して親機マイク１２からの送信音声信号のレベルと、子機２４からの受信音声信号のレベルとを所定の閾の基で比較し、信号レベルの大きい音声信号を出力する自動交互切換処理を行うボイススイッチ回路１６、子機２４からの受信音声信号をボイススイッチ回路１６への出力選択する第２のスイッチ１７、子機２４から通話回線２３を介して伝送された受信音声信号を第２のスイッチ１７へ出力すると共に、親機マイク１２からの送信音声信号を通話回線２３を介して子機２４へ伝送する送受信回路１８、ボイススイッチ回路１６において選択出力された親機マイク１２からの送信音声信号を増幅して送受信回路１８へ出力する親機送信アンプ１９、第１のスイッチ１５と第２のスイッチ１７及びボイススイッチ回路１６の動作を制御する制御手段であるマイクロプロセッサ（ＣＰＵ）２０、このＣＰＵ２０に対して、自動交互切換方式による自動通話モードの選択と、自動通話の開始と停止の操作の指示を行う通話ボタン２１、及びＣＰＵ２０に対して、プレストーク通話方式によるプレストーク通話モードの選択と、親機１１から子機２４、子機２４から親機１１へのプレストーク切換の操作の指示を行うプレストークボタン２２からなっている。
【００３８】
なお、この親機１１には、映像表示部３２を有し、子機２４から伝送された撮像信号を復調して、来訪者の映像が表示されるようになっている。また、ＣＰＵ２０には、後述するセンサ３４と、このセンサ３４で検出した内容を判別する判別回路３３が接続されるようになっている。
【００３９】
屋外に設置される子機２４は、子機マイク２５、子機スピーカ２６、親機１１からの送信音声信号を増幅して子機スピーカ２６へと出力する子機受信アンプ２７、来訪者が操作して呼び出し信号を出力する呼び出しボタン２８、及び、子機マイク２５で生成された送信音声信号と呼び出しボタン２８からの呼び出し信号を通話回線２３を介して親機１１へ伝送すると共に、親機マイク１２から伝送された送信音声信号を受信して子機受信アンプ２７へ出力する送受信回路２９からなっている。なお、子機マイク２５で生成された送信音声信号は、図示していない子機送信アンプにより所定の大きいの信号に増幅される。また、この子機２４には、来訪者を撮像するテレビカメラ３１が設けられている場合もあり、このテレビカメラ３１により撮像された撮像信号は、変調されて通話回線２３を用いて親機１１へと伝送される。
【００４０】
なお、親機１１と子機２４を接続する通話回線は、親機１１と子機２４の間の呼び出し信号、送信音声信号、受信音声信号、及び撮像信号を所定の変調信号により伝送する信号伝送路と、並びに子機２４の駆動電源の供給路でもある。
【００４１】
次に、このような構成の親機１１、子機２４、及び通話回線２３からなるハンズフリーインターホン装置の動作について説明する。
【００４２】
このハンズフリーインターホン装置は、前述したように、ハンズフリーで親機１１と子機２４の間で通話を行うために、通常時は、自動交互切換方式で待機されている。つまり、親機１１は、第１のスイッチ１５がＣＰＵ２０の制御により親機マイク１２からの送信音声信号がボイススイッチ回路１６に供給されるように接続され、第２のスイッチ１７がＣＰＵ２０の制御により子機２４からの信号を送受信回路１８において受信した呼び出し信号と受信音声信号をボイススイッチ回路１６へ供給するように接続されている。つまり、第１のスイッチ１６と第２のスイッチ１７が図中に示すようにオン状態で待機している。
【００４３】
この親機１１の待機状態において、来訪者により子機２４の呼び出しボタン２８が操作されると呼び出し信号が生成される。その呼び出し信号は、送受信回路２９から通話回線２３へと伝送される。親機１１は、通話回線２３を介して送受信回路１８に供給された呼び出し信号を受信して、第２のスイッチ１７を介して、ボイススイッチ回路１６に供給する。ボイススイッチ回路１７は、第２のスイッチ１７から供給された呼び出し信号を親機受信アンプ１４に介して親機スピーカ１３に供給して呼び出し音を出力させる。更に、ボイススイッチ回路１６は、呼び出し信号を親機送信アンプ１９を介して送受信回路１８へと供給して、その呼び出し信号を通話回線２３を介して子機２４へ伝送する。この通話回線２３を介して、子機２４へ伝送された呼び出し信号は、送受信回路２９により受信されて、子機受信アンプ２７により増幅されて子機スピーカ２６から出力されて、来訪者に親機１１から呼び出し音が出力されていることを知らせる。
【００４４】
親機１１の親機スピーカ１３からの呼び出し音により、在宅者は、親機１１の通話ボタン２１を操作すると、その通話ボタン２１の操作によりＣＰＵ２０は、ボイススイッチ回路１６を自動交互切換方式により自動通話を実行する。つまり、ボイススイッチ回路１６に供給される第１のスイッチ１５を介して親機マイク１２からの送信音声信号と、第２のスイッチ１７を介して供給される。送受信回路１８で受信された子機２４からの受信音声信号との信号レベルを所定の閾値により比較して、信号レベルの大きい音声信号を出力する。
【００４５】
すなわち、ボイススイッチ回路１６において、親機マイク１２からの送信音声信号のレベルが子機２４からの受信音声信号のレベルよりも大きいと判定されると、親機マイク１２からの送信音声信号が親機アンプ１９、送受信回路１８、及び通話回線２３を介して、子機２４へと伝送される。子機２４は、その親機１１からの送信音声信号を送受信回路２９により受信されて、子機受信アンプ２７を介して、子機スピーカ２６に供給して親機１１からの音声が出力される。
【００４６】
また、ボイススイッチ回路１６において、子機２４からの受信音声信号のレベルが親機１１の親機マイク１２からの送信音声信号のレベルよりも大きいと判定されると、子機２４からの受信音声信号が親機受信アンプ１４を介して親機スピーカ１３に供給されて子機２４からの音声が出力される。
【００４７】
このように、ボイススイッチ回路１６により親機１１からの送信音声信号と、子機２４からの受信音声信号を比較して、信号レベルの大きい音声信号を自動的に交互に切換通話を行い、親機１１と子機２４の間の通話が終了すると、通話ボタン２１を再度操作するとＣＰＵ２０は、前記第１のスイッチ１５、第２のスイッチ１７、及びボイススイッチ回路１６を通話待機状態とする。
【００４８】
次に、親機１１と子機２４の間の自動通話において、親機１１，あるいは子機２４の周囲の騒音が大きいなどの周囲状況により、ボイススイッチ１６による親機１１からの送信音声信号の選択出力、あるいは、子機２４からの受信音声信号の選択出力が出来ない場合のプレストーク通話方式によるプレストーク通話について図２のタイムチャートを用いて説明する。
【００４９】
親機１１が待機・呼び出し待ちの状態において、プレストークボタン２２を操作してもＣＰＵ２０は、図１に示すように、第１のスイッチ１５、第２のスイッチ１７、及びボイススイッチ回路１６を待機・呼び出し待ち状態を維持させている。
【００５０】
親機１１は、この待機・呼び出し待ち状態において、子機２４からの呼び出し信号を受信して、通話ボタン２１が操作されてオンすると、前述したように、自動通話が実行される。この自動通話において、親機１１、あるいは子機２４の周囲の騒音が大きく、自動通話が実行できなくなると、在宅者は、親機１１のプレーストークボタン２２を操作してオンさせてＣＰＵ２０により第１と第２のスイッチ１５，１７を制御してプレストーク通話モードを設定する。
【００５１】
このプレストークボタン２２がオンされている間、ＣＰＵ２０は、第１のスイッチ１５をオン状態とし、第２のスイッチ１７をオフ状態とし、親機マイク１２からの送信音声信号をボイススイッチ回路１６へと供給させるようにする。これにより、ボイススイッチ回路１６は、親機マイク１２からの送信音声信号のみが供給されることから、その送信音声信号を親機送信アンプ１９を介して送受信回路１８へと出力して通話回線２３を用い子機２４へと伝送する。
【００５２】
また、プレストークボタン２２がオフの間は、ＣＰＵ２０は、第１のスイッチ１５をオフ状態とし、第２のスイッチ１７をオン状態とし、送受信回路１８で受信した子機２４からの受信音声信号をボイススイッチ回路１６へ供給させるようにする。これにより、ボイススイッチ回路１６は、子機２４からの受信音声信号のみが供給されることから、その受信音声信号を親機受信アンプ１４を介して親機スピーカ１３へと出力して子機２４からの音声を出力する。
【００５３】
このように、自動通話に途中において、親機１１，あるいは子機２４のいずれかの周囲の騒音が大きい場合に、プレストークボタン２２をオンするとプレストーク通話モードに切り替えられると共に、親機１１から子機２４への音声信号の伝送が行われ、プレストークボタン２２がオフの間、子機２４からの音声信号の再生が行われる。
【００５４】
このプレストーク通話が終了すると、通話ボタン２１を再度操作してオンさせるとＣＰＵ２０は、第１と第２のスイッチ１５，１７とボイススイッチ回路１６は、プレストーク通話モードから自動通話モードへ切り換わり、呼び出し待ちの待機モードへと戻る。
【００５５】
次に、子機２４からの呼び出し音に応じて応答する際に、親機１１の周囲騒音が大きく、子機２４との通話を最初からプレストーク通話モードで行う必要がある場合の動作について、図３に示すタイムチャートを用いて説明する。
【００５６】
親機１１は、待機・呼び出し待ち状態において、子機２４から呼び出しを受信すると、在宅者は、親機１１の周囲騒音が大きいことから自動通話モードではなく、最初からプレストーク通話モードによる通話が望ましいと判断すると、通話ボタン２１を操作しないで、プレストークボタン２２を操作する。
【００５７】
このプレストークボタン２２を操作してオンされると、ＣＰＵ２０により第１と第２のスイッチ１５，１７を制御してプレストーク通話モードを設定する。
【００５８】
このプレストークボタン２２がオンされている間、ＣＰＵ２０は、第１のスイッチ１５をオン状態とし、第２のスイッチ１７をオフ状態とし、親機マイク１２からの送信音声信号をボイススイッチ回路１６へと供給させるようにする。これにより、ボイススイッチ回路１６は、親機マイク１２からの送信音声信号のみが供給されることから、その送信音声信号を親機送信アンプ１９を介して送受信回路１８へと出力して通話回線２３を用い子機２４へと伝送する。
【００５９】
また、プレストークボタン２２がオフの間は、ＣＰＵ２０は、第１のスイッチ１５をオフ状態とし、第２のスイッチ１７をオン状態とし、送受信回路１８で受信した子機２４からの受信音声信号をボイススイッチ回路１６へ供給させるようにする。これにより、ボイススイッチ回路１６は、子機２４からの受信音声信号のみが供給されることから、その受信音声信号を親機受信アンプ１４を介して親機スピーカ１３へと出力して子機２４からの音声を出力する。
【００６０】
このように、親機１１の周囲の騒音が大きい場合に、プレストークボタン２２がオンされるとプレストーク通話モードに切り替えられると共に、親機１１から子機２４への音声信号の伝送が行われ、プレストークボタン２２がオフの間、子機２４から音声信号の再生が行われる。
【００６１】
このプレストーク通話が終了すると、通話ボタン２１を操作してオンさせるとＣＰＵ２０は、第１と第２のスイッチ１５，１７とボイススイッチ回路１６は、プレストーク通話モードから自動通話モードへ切り換わり、呼び出し待ちの待機モードへと戻る。
【００６２】
この自動通話モードの待機モードの状態で、子機２４から呼び出し信号が送信され、その呼び出し信号に応答して通話ボタン２１を操作すると、前述したように、自動通話モードによる通話が行われ、その自動通話モードにおいて、親機１１，あるいは子機２４のいずれかの周囲騒音が大きい場合には、プレストーク通話モードへと切り換えて、プレストーク通話を実行させる。
【００６３】
以上説明したように、本発明のハンズフリーインターホン装置は、通話ボタン２１とプレストークボタン２２を設け、この通話ボタン２１とプレストークボタン２２の操作に応じて、ＣＰＵ２０によりボイススイッチ回路１７に供給する親機マイク１２からの送信音声信号と、子機２４からの受信音声信号を切り換える第１のスイッチ１５と第２のスイッチ１７を制御することで、親機１１と子機２４のいずれかの周囲騒音に応じて、自動通話からプレストーク通話に切換可能となる。また、プレストークボタン２２を操作したことによりプレストーク通話モードの選択認識が可能となり、かつ、プレストーク通話モードから通話ボタンを操作すると自動通話モードの待機状態への戻すことが容易にできる。
【実施例２】
【００６４】
次に、本発明の第２の実施形態であるハンズフリーインターホン装置について、図４を用いて説明する。図４（ａ）は本発明の第２の実施形態であるハンズフリーインターホン装置の親機の外観表面を示す平面図、図４（ｂ）は図４（ａ）に示すＡ−Ａ切断線からの断面図、図４（ｃ）は図４（ｂ）と異なる実施形態の断面図である。
【００６５】
本発明に係るハンズフリーインターホン装置の親機１１の表面には、図４（ａ）に示すように、映像表示部３２を構成する映像表示パネルが配置され、その映像表示部３２の図中下側に親機スピーカ１３、この親機スピーカ１３の図中下側に通話ボタン２１、及び、この通話ボタン２１の図中右側に親機マイク１２が配置されている。なお、前述したプレストークボタン２２は、この第２の実施形態とは直接的には関係しないために図示していない。
【００６６】
このような外観表面の親機１１は、屋内の所定の位置に設置されており、前述したように、子機２４からの呼び出し信号に応じて、通話ボタン２１を操作する。この通話ボタン２１は、一般的には、機械式のスイッチであり、通話ボタン２１を一度押すとオンとなり、再度押すとオフとなる。このために、ボタンを押下して機械的稼動を行うと機械的摩耗が生じて操作不良が生じる。また、通話ボタン２１を濡れたり、汚れている手により操作すると操作ボタン２１が不衛生となる。
【００６７】
そこで、図４（ｂ）に示すように、通話ボタン２１が設けられていた表面には、透過窓４３を設け、その透過窓４３の内部に非接触型物体感応センサ（以下、単にセンサと称する）３４ａを設ける。このセンサ３４ａは、通話ボタン２１に変わるもので、図１に示すセンサ３４に相当する。このセンサ３４ａは、判別回路３３を介して、ＣＰＵ２０に接続されている。
【００６８】
また、このセンサ３４ａは、赤外線反射方式、焦電型赤外線センサ方式、及び静電容量センサ方式などであり、手などの物体の接近に感応するセンサである。つまり、図４（ｂ）に示すように、親機１１の通話ボタン２１の位置に、透過窓４３とセンサ３４ａを設けることにより、この透過窓４３に手４５をかざすと、センサ３４ａが感応し、そのセンサ３４ａの感応を判別回路３３に判別する。判別回路３３からのセンサ３４ａの感応判別信号により、ＣＰＵ２０は、第１と第２のスイッチ１５，１７及びボイススイッチ回路１６の自動通話モードによる制御を行う。
【００６９】
この結果、濡れたり、汚されている手による通話ボタン２１の操作が不要となり、単に透過窓４３に手をかざすのみで子機２４との通話が可能となる。
【００７０】
また、図４（ｃ）に示すように、透過窓４３に設けられているセンサ３４ｂに対して、赤外線リモコン４６からの赤外線信号を送信させて、その赤外線信号によるセンサ３４ｂの感応を判別回路３３により検出して、ＣＰＵ２０による第１と第２のスイッチ１５，１７及びボイススイッチ１６の制御を行わせることもできる。
【００７１】
このセンサ３４ｂに赤外線リモコン４６からの赤外線信号の送信ことにより、例えば、子供等では手の届かない位置に親機１１が設定されている場合、あるいは、親機１１から離れた場所にいる場合に、親機１１の通話開始と停止の操作が可能となる。
【図面の簡単な説明】
【００７２】
【図１】本発明の第１の実施形態のハンズフリーインターホン装置の構成を示すブロック図。
【図２】本発明の第１の実施形態のハンズフリーインターホン装置における自動交互通話の途中でプレストーク通話への切換動作を説明するタイムチャート。
【図３】本発明の第１の実施形態のハンズフリーインターホン装置におけるプレストーク通話による通話動作を説明するタイムチャート。
【図４】本発明の第２の実施形態のハンズフリーインターホン装置である親機を示し、図４（ａ）は親機の外観表面を示す平面図、図４（ｂ）は図４（ａ）に示すＡ−Ａ切断線からの断面図、図４（ｃ）は図４（ｂ）と異なる実施形態の断面図。
【符号の説明】
【００７３】
１  親機、１２  親機マイク、１３  親機スピーカ、１４  親機受信アンプ、１５  第１のスイッチ、１６  ボイススイッチ回路、１７  第２のスイッチ、１８  送受信回路、１９  親機送信アンプ、２０  ＣＰＵ、２１  通話ボタン、２２  プレストークボタン、２４  子機、２５子機マイク、２６  子機スピーカ、２７  子機受信アンプ、２８  呼び出しボタン、２９  送受信回路。
【００７４】
代理人  弁理士  伊藤  進
【図１】
2006050260.tif 000003
【図２】
2006050260.tif 000004
【図３】
2006050260.tif 000005
【図４】
2006050260.tif 000006